(57)【特許請求の範囲】
【請求項１】
錠箱機構部に回動操作力を入力するサムターン軸と、
該サムターン軸の基端側を回動自在に支持し、該サムターン軸の先端側を屋内方向に突出させて扉の屋内面側に固設される筒状支持部と、
該サムターン軸に相対回転不能となって該サムターン軸の先端近傍に固定され、該サムターン軸とともに回動する略フランジ状の回動円板と、
前記回動円板よりも前記屋内側となる前記サムターン軸に相対回転可能に挿通され前記サムターン軸に対し回動自在な摘み部と、前記回動円板よりも前記筒状支持部側となる前記サムターン軸に相対回転可能に挿通され前記サムターン軸に対し回動自在なカラー部と、を有し、前記摘み部と前記カラー部とで前記回動円板を挟む摘み手段と、
を備え、
前記摘み部は、前記回動円板の屋内側板面に対向する平坦な端面が円形に形成されて、その外径及び前記サムターン軸方向に直交するいずれの断面の外径が前記回動円板の外径より小径な円形状とされるとともに、前記サムターン軸方向に厚みのある立体形状であり、
前記カラー部は、前記回動円板の筒状支持部側板面に対向する平坦な端面が円形に形成されて、その外径及び前記サムターン軸方向に直交するいずれの断面の外径が前記回動円板の外径より小径な円形状とされるとともに、前記サムターン軸方向に厚みのある立体形状であり、
前記摘み手段は、前記サムターン軸の前記筒状支持部よりも先端側となる前記屋内側に配置され、前記サムターン軸に対して相対回転不能な前記回動円板に対し、前記カラー部が前記回動円板と前記筒状支持部との間で回動自在とされ、且つ前記摘み部が前記回動円板よりも前記屋内側にて回動自在とされ、前記回動円板を前記摘み部とカラー部とで挟み、前記サムターン軸及び前記回動円板に対してそれぞれ相対回転可能として空転状態とし、
前記摘み部とカラー部との間に挟まれて位置する前記回動円板は、その周縁が、前記摘み部と前記カラー部の周縁よりも露出し、前記サムターン軸を回転させる際には、前記回動円板の周縁を掴むことで回転させることを特徴とするサムターン。
【請求項２】
前記摘み部は、その表面が略球面状に形成されている立体形状であることを特徴とする請求項１記載のサムターン。
【請求項３】
前記カラー部は、前記回動円板から前記筒状支持部に向かって前記断面が縮径とされる略円錐形状であることを特徴とする請求項１又は２記載のサムターン。
【請求項４】
前記摘み部の前記表面に表出する前記サムターン軸の端面に回転位置標示手段を設けたことを特徴とする請求項１，２，３のいずれか１つに記載のサムターン。
【請求項５】
前記摘み手段は、前記回動円板の周縁の近傍に、前記摘み部とカラー部とを連結し、前記回動円板よりも径方向に突出する突出部を少なくとも１つ有することを特徴とする請求項１，２，３，４のいずれか１つに記載のサムターン。
【発明の詳細な説明】
【０００１】
【発明の属する技術分野】
本発明は、扉などの開閉体に内蔵された錠箱機構部に対し回転による操作力を入力し、錠箱内に設けたロック部材を開閉体枠に対して進退動作させるサムターンに関するものである。
【０００２】
【従来の技術】
従来、サムターン付きの施錠装置は、扉などの開閉体に錠箱が内蔵され、錠箱には、開閉体の屋外側に露出するシリンダー錠と、開閉体の屋内側に露出する回転式のサムターンとが設けられている。
【０００３】
錠箱には、ロック部材である例えばデッドボルトが開閉体の端面（木口）から進退自在に設けられている。この種の施錠装置では、屋外側に露出したシリンダー錠の鍵孔に、合鍵（キー）を挿入して回転操作することによって、開閉体の木口よりデッドボルトが進退され、建物躯体側の開閉体枠である開口枠体に設けたストライクに対して施解錠が行われるようになっている。また、屋内側からは、サムターンの翼板状に形成される摘みが回転操作されるのみで、デッドボルトが進退され、開閉体の施解錠が簡便に行えるようになっている。
【０００４】
【発明が解決しようとする課題】
近年、マンションや住宅の玄関扉等の開閉体、あるいはこれら玄関扉等の開閉体近傍における開口枠体の周囲である壁部分に、高級感や優美性を高める目的で、ガラス板を嵌め込んだ小窓付のものが多用されるようになってきている。ところが、このような開閉体の小窓や壁部分の小窓では、ガラス板が割られると、外部から、先端を鉤状に曲げた針金等を挿入して、サムターンが不正に操作されてしまう虞れがある。
【０００５】
一般的に、扉に多用される回転式のサムターンは、屋内側に露出する摘み部の翼板部に針金の鉤状先端を掛止し、回転モーメントを与えることにより不正な解錠操作が可能となる場合がある。
【０００６】
また、サムターンは、小窓の無い開閉体においても、針金を挿入する隙間や孔などが開閉体自体あるいは壁部分にあれば、同様に不正解錠される虞れがあった。
【０００７】
本発明は上記状況に鑑みてなされたもので、屋外側からの挿入等の不正な解錠を防止することのできるサムターンを提供することを目的とする。またこれにより、施錠装置の不正解錠防止機能の向上を図ることを目的とする。
【０００８】
【課題を解決するための手段】
本発明の請求項１記載のサムターンは、
錠箱機構部に回動操作力を入力するサムターン軸８と、
該サムターン軸８を回動自在に支持し、扉４０の屋内面４０ａ側に固設される筒状支持部２と、
該サムターン軸８に設けられ、前記サムターン軸８とともに回動する略フランジ状の回動円板２０と、
前記回動円板２０から前記屋内面４ａ側に設けられ前記サムターン軸８に挿通され前記サムターン軸８に対し回動自在な摘み部２７と、前記回動円板２０から前記筒状支持部２側に設けられ前記サムターン軸８に挿通され前記サムターン軸８に対し回動自在なカラー部３１と、を有し、前記摘み部２７と前記カラー部３１とで前記回動円板２０を挟む摘み手段２６と、
を備え、
前記摘み部２７は、前記回動円板２０の板面２３ａに対向する端面２７ａの外径及び前記サムターン軸方向に直交するいずれの断面の外径が前記回動円板２０の板面２３ａにおける外径より小径な円形状となる立体形状であり、
前記カラー部３１は、前記回動円板２０の板面２３ｂに対向する端面２７ａの外径及び前記サムターン軸方向に直交するいずれの断面の外径が前記回動円板２０の板面２３ｂより小径な円形状となる立体形状である
を具備することを特徴とする。
【０００９】
請求項１のサムターン１によれば、扉４０等に設けられた小窓を割り、或いは扉４０と扉枠の隙間から針金を差し入れることにより外部よりサムターン１を不正に操作しても、摘み部２７は、サムターン軸方向のいずれの断面の外径及び回動円板２０の板面２３ａに対向する端面２７ａの外径が回動円板２０の板面２３ａより小径な円形状となる立体形状であり、また、カラー部３１も、サムターン軸方向のいずれの断面の外径及び回動円板２０の板面２３ｂに対向する面３１ａの外径が回動円板２０の板面２３ｂより小径な円形状となる立体形状であるため、摘み手段２６の表面は、針金等が係止不能な面となり、回転モーメントが発生せず、不正解錠を防止することができる。
【００１０】
また針金等を係止しようとしても、摘み手段２６はサムターン軸８及び回動円板２０に対し回転自在であるため、サムターン軸８及び回動円板２０に対し回転モーメントが伝達されず、摘み手段２６のみが空転するのみである。したがって、針金の係止が不能となり、不正解錠を防止することができる。
【００１１】
更に、回動円板２０は、サムターン軸８とともに回動する。また、摘み部２７及びカラー部３１の各端面２７ａ，３１ａがともに回動円板２０の板面２３よりも小径であるため、回動円板２０の周縁２５が摘み手段２６から露出する。したがって、操作者が屋内側から操作する場合は、この露出した回動円板２０の周縁２５をつまみ、回動操作することでサムターン軸８を回動させて、施解錠操作をすることができる。
【００１２】
本発明の請求項２記載のサムターンは、請求項１記載のサムターンにおいて、前記摘み部２７は、その表面２７ａが略球面状に形成されている立体形状であることを特徴とする。
【００１３】
請求項２のサムターン１によれば、摘み部２７の表面２７ｂが、略球面状に形成されているため、針金の先端が摘み部２７の周囲側に滑り、係止することが不可能となる。
【００１４】
本発明の請求項３記載のサムターンは、請求項１又は２記載のサムターンにおいて、前記カラー部３１は、前記回動円板２０から前記筒状支持部２に向かって前記断面が縮径とされる略円錐形状であることを特徴とする。
【００１５】
請求項３のサムターン１によれば、カラー部３１が略円錐状に形成されているため、針金の先端が筒状支持部２側に滑り、係止することが不可能となる。
【００１６】
本発明の請求項４記載のサムターンは、請求項１記載のサムターンにおいて、前記摘み部２７の前記表面２７ａに表出する前記サムターン軸８の端面１７ａに回転位置標示手段１８を設けたことを特徴とする
【００１７】
請求項４のサムターン１によれば、サムターン軸８の回転位置が屋内側からサムターン軸８が回転したか否か、すなわち、施錠状態か解錠状態か否かが容易に視認でき把握することができる。
【００１８】
本発明の請求項５記載のサムターンは、請求項１記載のサムターンにおいて、前記摘み手段２６は、前記回動円板２０の周縁２５の近傍に、前記回動円板２０よりも径方向に突出する突出部３５を少なくとも１つ有することを特徴とする。
【００１９】
請求項５のサムターン１によれば、屋内面４０ａ側から操作者が操作する場合、回動円板２０を摘んで回動すると、サムターン軸８もこの回動に伴って回動する。このとき、操作者の掴んだ指が突出部３５に当接して、突出部３５が回動円板２０の外周に沿って回動円板２０の回動方向に回動する。このため、操作者は、回動円板２０を回動している否かが感覚的に把握でき、操作感が得られることとなる。
【００２０】
また、扉４０等に設けられた小窓を割り、或いは扉４０と扉枠の隙間から針金を差し入れることにより外部よりサムターン１を不正に操作した場合、突出部３５に針金が係止しようとして、摘み手段２６を回動させて回転モーメントが生じても、その回転モーメントはサムターン軸８及び回動円板２０には伝達されず摘み手段２６のみが空転するのみである。したがって、針金の係止が不能となり、不正解錠を防止することができる。
【００２１】
【発明の実施の形態】
図１は本発明によるサムターンの実施の形態を示す側断面図、図２は同サムターンの分解斜視図、図３は同サムターンの正面図である。
【００２２】
図１に示すように、扉４０には図示しない錠箱が設けられ、この錠箱にはラッチボルト、デッドボルト、及びこれらを扉４０の木口から進退させる錠箱機構部を内接している。扉４０は屋内側の面４０ａにサムターン１を備えている。上記した錠箱のデッドボルトは、扉４０の屋外側の面に設けたシリンダー錠をキーによって、又はこのサムターン１を回動することによって扉４０の木口から進退可能となる。
【００２３】
本実施の形態のサムターン１は、筒状支持部２と、筒状支持部２に嵌挿されるサムターン軸８と、筒状支持部２から突出したサムターン軸８に固定される回動円板２０と、摘み手段２６と、で略構成される。
【００２４】
筒状支持部２は、略円筒形に形成されている。筒状支持部２の後端部２ａには、軸線に直交方向の一対の凸部３，３が外周の上下に設けられている。これら凸部３，３には固定穴４が形成されている。筒状支持部２の後端部２ａは、扉面４０ａに穿設した挿入穴４０ｂに挿入され、扉４０内に設けた図示しない錠箱にこの固定穴４を介して固定される。これにより、筒状支持部２は、錠箱に回動不能に固定され、この錠箱を介して扉４０の屋内面４０ａ側に固設されることになる。
【００２５】
扉面４０ａから突出する筒状支持部２の先端側２ｂの略半部は、屋内面４０ａより突出し、その外周には、先端側を切除した略円錐状の化粧リング５を、先端部が筒状支持部２の先端２ｂ側となるように取り付けている。また、筒状支持部２の先端２ｂには、飾り筒６が設けられ、筒状支持部２の先端面を覆うようになっている。
【００２６】
サムターン軸８は、略筒状の基端部材９と、この基端部材９に嵌挿される先端部材１２と、が連結されて構成される。基端部材９の先端は断面十字形状の入力部１０を構成している。この入力部１０は、図示しない錠箱機構部の入力軸に相対回転不能に嵌入される。
【００２７】
すなわち、サムターン軸８の基端部材９は、先端がこの筒状支持部２に貫通され、図示しないＥリングなどの移動規制部材が取り付けられて、筒状支持部２に対して抜脱を規制し、回動自在に支持している。サムターン軸８の基端部材９の後端は、開口されており、サムターン軸８の先端部材１２がその一端側から嵌挿される。
【００２８】
また、サムターン軸８の先端部材１２は、一端側から他端側に向かって、円柱状の連結部１３、連結部１３よりやや大径な基軸部１４、基軸部１４よりやや大径なフランジ１７を設けて、略キノコ状に形成されている。
【００２９】
連結部１３は、基端部材９の内部に挿通されて基端部材９と連結される。連結部１３と基軸部１４には、その軸方向に一対の溝部１５が形成されており、後述する回動円板２０に嵌挿される。
【００３０】
フランジ１７の端面１７ａは、屋内側に表出しており、略球面状とされている。端面１７ａには回転位置標示手段１８が設けられている。回転位置標示手段１８は、微小な凹凸による標示、印刷や刻印、あるいは部分的な着色による色分け等とされている。例えば、図２に示すように、解錠時では回転位置標示手段１８は縦長状とされており、施錠する場合、すなわち、時計回り方向にサムターン軸８を９０度回動させると、横長状となり、解錠時と施錠時とが識別可能となる。
【００３１】
サムターン軸８の先端部材１２には、サムターン軸８に対してフランジ状となる回動円板２０が設けられている。回動円板２０の中央には、サムターン軸８の先端部材１２が嵌挿される嵌挿孔２１が形成されている。嵌挿孔２１は、基軸部１４と略同径である。嵌挿孔２１の内周縁には、内側に向けて対向する一対の凸部２２，２２が形成されており、連結部１３及び基軸部１４に形成された溝部１５と嵌合する。これにより、回動円板２０はサムターン軸８に固定され、回動円板２０とサムターン軸８とは、相対回転不能とされ、サムターン軸８とともに回動するようになる。なお、この回動円板２０の周縁２５は局面にて構成される。
【００３２】
摘み手段２６は、回動円板２０を挟んで摘み部２７とカラー部３１が結合されて構成される。摘み部２７とカラー部３１はともにサムターン軸方向（以下「軸方向」）に直交する断面が略円形状となる立体形状である。
【００３３】
摘み部２７は、回動円板２０から屋内側に設けられている。摘み部２７は、円形状の略平坦な端面２７ａと略球面状の表面２７ｂを有する。摘み部２７の端面２７ａは、回動円板２０の一方の板面２３ａの外径よりもやや小径である。この端面２７ａは、この一方の板面２３ａと対向する。なお、端面２７ａは、浅い溝部２７ｃが環状に形成されており、端面２７ａと板面２３ａとの接触面積を小さくしている。
【００３４】
また、略球面形状の摘み部２７の表面２７ｂの形状を詳述すると、正面視で略正円形状とされるとともに、図１に示すように側面視で楕円形状の短軸側を略１／２、好ましくは１／２よりやや長尺とした略半部に形成される曲面よりなる。
【００３５】
更に、摘み部２７の中央には、軸方向に貫通した挿通孔２８が形成されており、サムターン軸８の先端部材１２が挿通されて、サムターン軸８に対し回動自在とされている。この挿通孔２８は、サムターン軸８の先端部材１２の基軸部１４とほぼ同径である。また、この挿通孔２８の屋内側はフランジ１７とほぼ同径とされる拡径部２８ａが形成されており、フランジ１７がはめ込まれて、サムターン軸８から摘み部が抜けないようにされている。なお、摘み部２７の表面２７ｂと基軸部１４の端面１７ａとは同一曲率の球面とされており、これらは連続した球面形状となる。
【００３６】
カラー部３１は、回動円板２０から筒状支持部２側に設けられている。カラー部３１は、円形状の略平坦な端面３１ａとテーパ状の表面３１ｂを有する。端面３１ａは、回動円板２０の他方の板面２３ｂの外径よりもやや小径である。この端面３１ａは、この他方の板面２３ｂと対向する。またこの端面３１ａには、浅い溝部３１ｃが環状に形成されており、端面３１ａと板面２３ｂとの接触面積を小さくしている。
【００３７】
カラー部３１の表面３１ｂは正面視で略円形状とされている。また、側面視で略楕円形の略半部とされる曲面形状の球面部を備えるとともに、一端となる筒状支持部２側に向けて小径となるテーパ面が形成された略円錐形状に形成される。
【００３８】
カラー部３１の中央には、軸方向に貫通孔３２が形成されており、サムターン軸８の先端部材１２が貫通されて、サムターン軸８に対し回動自在とされている。この貫通孔３２は、サムターン軸８の先端部材１２の基軸部１４とほぼ同径である。
【００３９】
摘み部２７の軸方向に直交するいずれの断面及び端面２７ａの外径は、回動円板２０の板面２３ａの外径よりも小さい。同様に、カラー部３１の軸方向に直交するいずれの断面及び端面３１ａの外径は、回動円板２０の板面２３ｂの外径よりも小さい。したがって、摘み部２７とカラー部３１とで挟まれた状態で、回動円板２０の周縁２５が露出するようになっている。
【００４０】
また、摘み部２７とカラー部３１の各周縁近傍には、径方向に突出した突出片２９（２９ａ〜２９ｄ），３３（３３ａ〜３３ｄ）が形成されている。摘み部２７及びカラー部３１の突出片２９（２９ａ〜２９ｄ），３３（３３ａ〜３３ｄ）は本実施の形態ではともに等間隔で同数（図では４つ）形成されている。
【００４１】
摘み部２７側の突出片２９（２９ａ〜２９ｄ）の先端はカラー部３１側に向かって軸方向に曲がっており、カラー部３１側の突出片３３（３３ａ〜３３ｄ）の先端は摘み部２７側に向かって軸方向に曲がっている。従って、摘み部２７側の突出片２９（２９ａ〜２９ｄ）の先端面は、対向するカラー部３１側の突出片３３（３３ａ〜３３ｄ）の先端面と結合されて突出部３５（３５ａ〜３５ｄ）を構成する。各突出部３５（３５ａ〜３５ｄ）は、回動円板２０の側周面２４に亘っており、断面略Ｃ字形状とされている。これにより、摘み部２７とカラー部３１とは一体となって回動する。
【００４２】
したがって、摘み手段２６は、サムターン軸８及び回動円板２０には固定されていないため、サムターン軸８及び回動円板２０とは独立してサムターン軸に対して回動可能である。すなわち、突出部３５は、回動円板２０の外周を周方向に移動自在であり、換言すれば、各突出部３５の内側を回動円板２０が回動するようになっており、回動円板２０と摘み手段２６とは、相対回動可能とされている。
【００４３】
次に本実施の形態の動作について説明する。まず、屋内側から施錠する場合について説明する。操作者が屋内から摘み手段２６を摘む。このとき、摘んだ指は突出部３５（３５ａ〜３５ｄ）の間から露出している回動円板２０の周縁２５を掴むこととなる。
【００４４】
摘んだ手を捻って回動円板２０を例えば時計回りに回動させると、サムターン軸８もそれに伴って回動する。そして、例えば９０度回動されると、サムターン軸８の基端部材９の入力部１０により錠箱機構部内が操作され、デッドボルトが扉４０の木口に進出する。
【００４５】
これにより屋内側から扉４０が施錠される。このとき、サムターン軸８の先端部材１２の端面１７ａの回転位置標示手段１８は横長になっており、屋内側から施錠されていることが視認される。
【００４６】
なお、回動円板２０の周縁２５を掴んだ指が回動円板２０の回動に伴って突出部３５の側部に当接し、これによって、摘み手段２６は回動円板２０と同方向に回動する。
【００４７】
次に施錠状態から解錠するときは、摘み手段２６を摘んで、突出部３５の間から露出している回動円板２０の周縁２４を掴む。回動円板２０を反時計回り方向に回動させると、サムターン軸８もそれに伴って回動する。回動円板２０が９０度回動されると、サムターン軸８の基端部材９の入力部１０により錠箱機構部内が操作され、扉４０の木口に進出しているデッドボルトが扉４０の木口から後退させられる。
【００４８】
これにより屋内側から扉４０が解錠される。このとき、サムターン軸８の先端部材１２の端面１７ａの回転位置標示手段１８は縦長になっており、屋内側から解錠されていることが視認される。
【００４９】
なお、回動円板２０の周縁２５を掴んだ指が回動円板２０の回動に伴って突出部３５の側部に当接し、これによって、摘み手段２６は回動円板２０と同方向に回動する。
【００５０】
また、施錠時において、扉４０等に設けられた小窓を割り、或いは扉４０と扉枠の隙間から針金を差し入れて、外部よりサムターン１を不正に操作しようとする場合、針金をサムターン１に係止しようとしても摘み部２７の表面２７ｂが略球面状であるために係止することができず、針金がその周囲側に滑ることとなる。
【００５１】
また、針金をサムターン１の基端側に係止させようとしても、その基端側にあるカラー部３１の表面３１ｂがテーパ面であるために係止することができず、針金が筒状支持部２側に滑ることとなる。
【００５２】
このように、摘み手段２６の表面２７ｂ，３１ｂを略球面状や円錐状とすることで、針金等の係止を不能にすることができるため、不正解錠を防止することができる。
【００５３】
また、針金が、回動円板２０付近に到来してきても、回動円板２０は摘み手段２６に比べて板厚が薄いため、摘み部２７とカラー部３１のいずれかに係止しようとする。更に、摘み手段２６には、回動円板２０の周縁２５部近傍に、回動円板２０の周縁２５部に亘って突出部３５が形成されているため、摘み手段２６から露出している回動円板２０の一部を覆って針金の係止を防止することができる。
【００５４】
また、針金が突出部３５に係止されようとしても、摘み手段２６自身がサムターン軸８に対して回転自在であるため、摘み手段２６が空転するのみであり、サムターン軸８及び回動円板２０を回動させることができず、デッドボルトも進退しないこととなる。したがって、不正解錠を防止することができる。
【００５５】
なお、上述した実施の形態では、摘み手段２６の摘み部２７の表面２７ｂを略球面状とし、摘み手段２６のカラー部３１を略円錐形状としたが、この形状に限定されることはなく、摘み手段２６の軸方向に直交する断面の外径及び回動円板２０の板面２３に対向する端面２７ａ，３１ａの外径が円形状であれば、針金を係止しようとしても回転モーメントが生じない。このため、例えば、摘み部２７又はカラー部３１はサムターン軸８を中心軸とする円柱形状としてもよい。
【００５６】
また、上述した実施の形態では、摘み部２７とカラー部３１とを突出部３５にて結合して摘み手段２６を構成することとしたが、必ずしも摘み部２７とカラー部３１とを結合する必要はない。この場合、摘み部２７及びカラー部３１には突出片を形成せず、摘み部２７及びカラー部３１は別個独立してサムターン軸８に対して空転することとなる。
【００５７】
更に、上述した実施の形態では、突出部３５を周方向に４つ形成することとしたが、４つに限定されることはなく、例えば、１個〜３個であってもよく、また５個以上であってもよい。この場合、突出部３５の間隔が、指に掴まれて回動操作が可能な程度の間隔であればよい。
【００５８】
また、突出部３５の間隔は等間隔である必要はないが、等間隔であれば、突出部３５が均等に配置されるため、摘み部２７とカラー部３１との結合がより安定することとなる。
【００５９】
【発明の効果】
以上説明したように請求項１のサムターンによれば、扉等に設けられた小窓を割り、或いは扉と扉枠の隙間から針金を差し入れることにより外部よりサムターン１を不正に操作しても、摘み手段の表面は針金等が係止不能な面であるため、回転モーメントが発生せず、不正解錠を防止することができる。
【００６０】
また針金等を係止しようとしても、摘み手段はサムターン軸８及び回動円板に対し回転自在であるため、サムターン軸及び回動円板に対し回転モーメントが伝達されず、摘み手段のみが空転するのみである。したがって、針金の係止が不能となり、不正解錠を防止することができる。
【００６１】
また請求項２のサムターンによれば、摘み部の表面が、略球面状に形成されているため、針金の先端が摘み部の周囲側に滑り、係止することが不可能となる。
【００６２】
更に請求項３のサムターンによれば、カラー部が略円錐状に形成されているため、針金の先端が筒状支持部２側に滑り、係止することが不可能となる。
【００６３】
また請求項４のサムターンによれば、サムターン軸の回転位置が屋内側からサムターン軸が回転したか否か、すなわち、施錠状態か解錠状態か否かが容易に視認でき把握することができる。
【００６４】
更に請求項５のサムターンによれば、屋内面側から操作者が操作する場合、回動円板を摘んで回動すると、サムターン軸もこの回動に伴って回動する。このとき、操作者の掴んだ指が突出部に当接して、突出部が回動円板の外周に沿って回動円板の回動方向に回動する。このため、操作者は、回動円板を回動している否かが感覚的に把握でき、操作感が得られることとなる。
【００６５】
また、扉等に設けられた小窓を割り、或いは扉と扉枠の隙間から針金を差し入れることにより外部よりサムターンを不正に操作した場合、突出部に針金が係止しようとして、摘み手段を回動させて回転モーメントが生じても、その回転モーメントはサムターン軸及び回動円板には伝達されず摘み手段のみが空転するのみである。したがって、針金の係止が不能となり、不正解錠を防止することができる。
【図面の簡単な説明】
【図１】本発明によるサムターンの実施の形態を示す側断面図である。
【図２】図２は同サムターンの分解斜視図である。
【図３】図３は同サムターンの正面図である。
【符号の説明】
１…サムターン
２…筒状支持部
８…サムターン軸
１７ａ…サムターン軸の端面
１８…回転位置標示手段
２０…回動円板
２３（２３ａ，２３ｂ）…板面
２５…回動円板周縁
２６…摘み手段
２７…摘み部
２７ａ…板面に対向する端面（摘み部端面）
３１…カラー部
３１ａ…板面に対向する端面（カラー部端面）
３５…突出部
４０…扉
４０ａ…屋内面
【図１】
0004128351.tif 000002
【図２】
0004128351.tif 000003
【図３】
0004128351.tif 000004